(57)【特許請求の範囲】
【請求項１】
親スコープに設けられたガイドチャンネルに子スコープの挿入部を挿通して使用され、上記子スコープを保持するための子スコープホルダーが上記親スコープのガイドチャンネルの入口部分に取り付けられた親子式内視鏡において、
上記子スコープホルダーが軸線方向に伸縮自在であり、上記子スコープホルダーを最も縮めたときに上記親スコープの先端から上記子スコープの挿入部の先端が突出する長さ（Ａ）より、上記子スコープホルダーの伸縮長（Ｂ）を大きくしたことを特徴とする親子式内視鏡。
【請求項２】
上記子スコープホルダーが、上記親スコープのガイドチャンネルの入口部分に着脱自在に取り付けられる請求項１記載の親子式内視鏡。
【請求項３】
上記子スコープホルダーが、互いに嵌合して軸線方向に相対的にスライド自在に接続された複数の筒状体と、その複数の筒状体の接続部を固定／解除自在なロック機構とを有している請求項１又は２記載の親子式内視鏡。
【請求項４】
上記複数の筒状体を軸線方向に相対的に移動させたときに、その移動範囲の途中の複数箇所においてクリックがかかる機構が設けられている請求項３記載の親子式内視鏡。
【発明の詳細な説明】
【０００１】
【発明の属する技術分野】
この発明は、親スコープのガイドチャンネルに子スコープを挿通して使用される親子式内視鏡に関する。
【０００２】
【従来の技術】
子スコープの操作部は一般に助手によって保持される場合が多いが、子スコープの操作部を保持するための子スコープホルダーを親スコープのガイドチャンネルの入口部分に取り付け、親子両スコープの操作部を術者が保持して操作できるようにしたものがある。
【０００３】
【発明が解決しようとする課題】
子スコープによる観察を行う際には、子スコープの挿入部の先端が親スコープのガイドチャンネルの先から突き出た状態にしておく必要がある。したがって、上述のように子スコープの操作部を子スコープホルダーに保持すると、子スコープの挿入部の先端が親スコープの挿入部の先端から突出した状態になる。
【０００４】
しかし、そのように子スコープの挿入部の先端が親スコープの挿入部の先端から突出した状態で体腔内において親スコープを誘導操作すると、子スコープが体腔内組織にぶつかって粘膜面を傷つけてしまう場合がある。
【０００５】
そこで本発明は、子スコープの操作部をホルダーに保持した状態で親スコープを誘導操作したときに粘膜面を傷つける恐れのない安全性の高い親子式内視鏡を提供することを目的とする。
【０００６】
【課題を解決するための手段】
上記の目的を達成するため、本発明の親子式内視鏡は、親スコープに設けられたガイドチャンネルに子スコープの挿入部を挿通して使用され、上記子スコープを保持するための子スコープホルダーが上記親スコープのガイドチャンネルの入口部分に取り付けられた親子式内視鏡において、上記子スコープホルダーが軸線方向に伸縮自在であり、上記子スコープホルダーを最も縮めたときに上記親スコープの先端から上記子スコープの挿入部の先端が突出する長さ（Ａ）より、上記子スコープホルダーの伸縮長（Ｂ）を大きくしたことを特徴とする。
【０００７】
なお、上記子スコープホルダーが、上記親スコープのガイドチャンネルの入口部分に着脱自在に取り付けられるようにしてもよく、上記子スコープホルダーが、互いに嵌合して軸線方向に相対的にスライド自在に接続された複数の筒状体と、その複数の筒状体の接続部を固定／解除自在なロック機構とを有していてもよい。
【０００８】
また、上記複数の筒状体を軸線方向に相対的に移動させたときに、その移動範囲の途中の複数箇所においてクリックがかかる機構が設けられていてもよい。
【０００９】
【発明の実施の形態】
図面を参照して本発明の実施の形態を説明する。
図１は、親子式内視鏡を構成する親スコープ１０と子スコープ３０と子スコープホルダー５０とを並べて示したものである。
【００１０】
親スコープ１０には、可撓管によって外装された可撓性の挿入部１１の基端に操作部１２が連結され、操作部１２からの遠隔操作によって任意の角度に屈曲自在な湾曲部１１ａが挿入部１１の先端部分に形成されている。そして、観察窓や照明窓等は、湾曲部１１ａの先端に連結された先端部本体１１ｂに設けられている。なお、挿入部１１とは湾曲部１１ａと先端部本体１１ｂを含めた部分をいう。
【００１１】
操作部１２の下半部は術者によって把持される握り部１２ａであり、上半部の機構部１２ｂの前面側に吸引（又は送水）操作釦１６が配置され、背面側に湾曲操作レバー（図示せず）が配置されている。
【００１２】
子スコープ３０の挿入部３１を挿通するためのガイドチャンネル１４は、挿入部１１内の全長にわたって挿通配置されていて、その出口は観察窓等と並んで先端部本体１１ｂの先端に開口している。
【００１３】
ガイドチャンネル１４の入口１４ｂは操作部１２の上端部に真っ直ぐに上向きに開口していて、いわゆるルアーロック雄口金状の口金１７が取り付けられており、その軸線は、挿入部１１の基端部分の軸線のほぼ延長線上に位置している。
【００１４】
親スコープ１０の内視鏡観察像は挿入部１１内に挿通配置されたイメージガイドファイババンドルによって操作部１２側に伝達され、接眼部２０を通して肉眼で観察することができる。
【００１５】
接眼部２０は、操作部１２の上端部側の側面部分に斜め上方向きに配置されている。接眼部２０には、図示されていないテレビカメラを接続／取り外し自在であり、テレビカメラを接続することにより、内視鏡観察像をテレビモニターに表示することができる。
【００１６】
子スコープ３０は、可撓管によって外装された可撓性の挿入部３１の基端に操作部３２が連結され、操作部３２からの遠隔操作によって任意の角度に屈曲自在な湾曲部３１ａが挿入部３１の先端部分に形成されている。
【００１７】
子スコープ３０の挿入部３１は、親スコープ１０のガイドチャンネル１４内に挿脱自在な太さに形成されており、観察窓や照明窓等は、湾曲部３１ａの先端に連結された先端部本体３１ｂに設けられている。なお、挿入部３１とは湾曲部３１ａと先端部本体３１ｂを含めた部分を言う。
【００１８】
操作部３２の下半部は術者によって把持される握り部３２ａであり、上半部の機構部３２ｂの前面側に吸引（又は送水）操作釦３６が配置され、背面側に湾曲操作レバー（図示せず）が配置されている。
【００１９】
３４は、子スコープ３０の処置具挿通チャンネルの入口部分に取り付けられた鉗子栓であり、操作部３２の下部に配置されている。内視鏡観察像は、操作部３２の上端部に上向きに配置された接眼部４０を通して観察することができる。４１は、照明光を発生させる光源ユニットであり、内蔵された電池によって小さな電球を点灯させるようになっている。
【００２０】
５０は子スコープホルダーであり、下端に設けられた親スコープ連結部５３において、親スコープ１０のガイドチャンネル１４の入口１４ｂ部分に接続／取り外し自在になっている。中間筒５１，５２には子スコープ３０の挿入部３１を挿通することができ、上端部に設けられた子スコープ保持部５４には、子スコープ３０の操作部３２を保持することができる。
【００２１】
５５は、親スコープ連結部５３を親スコープ１０側に固定するための親側ロックネジ、５６は、子スコープ３０の操作部３２を子スコープ保持部５４に固定するための子側ロックネジ、５７は、中間筒５１，５２の長さを調整して固定するための筒長ロックネジである。各ロックネジ５５，５６，５７の手元側には、指先で摘んでネジを回転させるための摘まみが形成されている。
【００２２】
図２は、子スコープホルダー５０を示している。なお、各固定ネジ５５，５６，５７は、固定状態と固定解除状態とが半分ずつに分けて示されている。又、二点鎖線により親スコープ１０と子スコープ３０が示されている。
【００２３】
親スコープ連結部５３は、親スコープ１０のガイドチャンネル１４の入口１４ｂ部分を囲むように操作部１２の上端部分に被せられ、プラスチック製の内筒５３ａが操作部１２側と嵌合する。
【００２４】
そして、親スコープ連結部５３の側壁に形成されたネジ孔に螺合する尖り先ネジ状の親側ロックネジ５５を締め込むことによって、親スコープ連結部５３が親スコープ１０の操作部１２に固定され、中間筒５１，５２がガイドチャンネル１４と真っ直ぐに連通する状態になる。
【００２５】
子スコープ保持部５４には、子スコープ３０の操作部３２の下端部が上方から嵌め込まれ、子スコープ保持部５４の側壁に形成されたネジ孔に螺合する尖り先ネジ状の子側ロックネジ５６を締め込むことによって、子スコープ３０の操作部３２が子スコープ保持部５４に固定される。６０は、子スコープ３０の操作部３２に突設されたピン等を係合させるための位置決め用スリ割りである。
【００２６】
中間筒５１，５２は、例えばアルミニウム合金製の子スコープ保持部５４と一体に形成された太い方の筒５１内に、やはりアルミニウム合金製の親スコープ連結部５３と一体に形成された細い方の筒５２が軸線方向にスライド自在に嵌挿されて接続されて構成されており、両筒５１，５２共に、嵌合部分にステンレス鋼製パイプ５１ａ，５２ａを配置した二重筒構造に構成されている。
【００２７】
筒長ロックネジ５７のネジ部は、太い方の筒５１の下端部近傍に形成されたネジ孔に側方から螺合しており、その先端には、細い方の筒５２の外表面に当接するゴム又はプラスチック製の摩擦板５８が取り付けられている。
【００２８】
したがって、筒長ロックネジ５７の摘まみ部を指先で摘んで筒長ロックネジ５７を緩めておけば、太い方の筒５１に対する細い方の筒５２の差し込み長さを変えることにより、中間筒５１，５２を任意の長さに調整することができ、筒長ロックネジ５７を締め込むことによりその状態を固定することができる。
【００２９】
なお、筒長ロックネジ５７を緩めた状態の時に、子スコープ保持部５４に保持された子スコープ３０の操作部３２の重さで中間筒５１，５２が縮められないように、両筒５１，５２の嵌合部には摩擦力付与のためのＯリング６１が装着されている。
【００３０】
また、細い方の筒５２の外面には、長さ調整の目安にするための指標となる複数の円周溝５９が等間隔に形成されており、Ｏリング６１が各円周溝５９の部分を通過する際に、軽くクリックがかかるようになっている。
【００３１】
図３は、親スコープ１０に子スコープホルダー５０が取り付けられて、その子スコープ保持部５４に子スコープ３０の操作部３２が保持された状態を示している。このように、子スコープホルダー５０によって親スコープ１０と子スコープ３０とが一体化されるので、術者が親スコープ１０と子スコープ３０の双方の操作を一人で行うことができる。
【００３２】
そして、子スコープホルダー５０と子スコープ３０の操作部３２とが親スコープ１０の挿入部１１の基端部分の軸線のほぼ延長線上に位置するので、親スコープ１０を誘導操作のために回転させたときに子スコープ３０の操作部３２が大きく振り回されず、親スコープ１０と子スコープ３０の両方の操作を術者が一人で容易に行うことができる。
【００３３】
また、筒長ロックネジ５７を緩めておけば、中間筒５１，５２が伸縮自在であり且つ細い方の筒５２に対して太い方の筒５１が軸線周りに回転自在なので、親スコープ１０を動かすことなく子スコープ３０を自由に進退及び回転操作することができる。
【００３４】
図３に示される状態においては、中間筒５１，５２が最も短く縮められており、この時は、図４に示されるように子スコープ３０の挿入部３１の先端が親スコープ１０の挿入部１１の先端から最も突出した状態になる。その最大突出長をＡとする。
【００３５】
これに対して、図５は、子スコープホルダー５０の中間筒５１，５２を最も長く伸ばした状態を示しており、中間筒５１，５２の伸縮長Ｂは、子スコープ３０の挿入部３１の最大突出長Ａより長く構成されている。即ちＡ＜Ｂである。
【００３６】
したがって、中間筒５１，５２を図５に示されるように最も長く伸ばした状態では、子スコープ３０の挿入部３１は親スコープ１０のガイドチャンネル１４内に完全に引き込まれた状態になっている。
【００３７】
したがって、親スコープ１０を患者の体腔内で誘導操作する際には、そのように中間筒５１，５２を最も長く伸ばした状態で筒長ロックネジ５７を締め込んでおけば、子スコープ３０で体腔内粘膜を傷つけたりすることなく安全に内視鏡操作をすることができる。
【００３８】
【発明の効果】
本発明によれば、子スコープホルダーを軸線方向に伸縮自在に構成して、子スコープホルダーを最も縮めたときに親スコープの先端から子スコープの先端が突出する長さより、子スコープホルダーの伸縮長を大きくしたことにより、子スコープホルダーを最も長く伸ばした状態にしておけば、子スコープの挿入部が親スコープのガイドチャンネル内に完全に引き込まれた状態になるので、親スコープを誘導操作したときに子スコープで粘膜面を傷つける恐れがなく、親スコープを体腔内で安全に誘導操作することができる。
【図面の簡単な説明】
【図１】本発明の実施の形態の親子式内視鏡の全体構成図である。
【図２】本発明の実施の形態の子スコープホルダーの縦断面図である。
【図３】本発明の実施の形態の子スコープホルダーを最も縮めた状態の正面図である。
【図４】本発明の実施の形態の子スコープホルダーを最も縮めた時に親スコープの先端から子スコープの先端が突出した状態の正面図である。
【図５】本発明の実施の形態の子スコープホルダーを最も伸ばした状態の正面図である。
【符号の説明】
１０  親スコープ
１１  挿入部
１２  操作部
１４  ガイドチャンネル
１４ａ  出口
１４ｂ  入口
２０  接眼部
３０  子スコープ
３１  挿入部
３２  操作部
４０  接眼部
５０  子スコープホルダー
５１，５２  中間筒
５３  親スコープ連結部
５４  子スコープ保持部
５７  筒長ロックネジ
【図１】
0004040169.tif 000002
【図２】
0004040169.tif 000003
【図３】
0004040169.tif 000004
【図４】
0004040169.tif 000005
【図５】
0004040169.tif 000006